(57)【要約】  椅子は、座部と、背もたれと、湾曲したレールを有するフレームと、レールに沿って移動可能なランナとを含む。座部および背もたれは、それらがレールに沿って一緒に移動できるようにランナによって担持され、座部に対する背もたれの位置は、座部および背もたれがレールに沿って移動するとともに水平方向に変わる。さらに、高さを調整可能な座部は折り畳むことができる。
2014528311.tif 000002
【特許請求の範囲】
【請求項１】
座部と、
背もたれと、
湾曲したレールを有するフレームと、
前記レールに沿って移動可能なランナと、
を含む椅子であって、
前記座部および前記背もたれは、前記座部および前記背もたれが前記レールに沿って一緒に移動できるように前記ランナによって担持され、前記座部に対する前記背もたれの位置は、前記座部および前記背もたれが前記レールに沿って移動するとともに水平方向に変わる、椅子。
【請求項２】
前記座部および前記背もたれが前記レールの上方に移動することで、前記座部の高さが上昇し、前記背もたれの位置が、前記座部に対して後退して後方に変わる、請求項１に記載の椅子。
【請求項３】
前記レールは、１対の凸形サイドレールである、請求項１または２に記載の椅子。
【請求項４】
前記背もたれは、前記レール内に画定された通路に沿って移動可能である、請求項１〜３のいずれか一項に記載の椅子。
【請求項５】
前記通路は、前記通路の底部が前記椅子の前部の方に配置され、前記通路の上部が前記椅子の後部の方に配置されるように成形される、請求項４に記載の椅子。
【請求項６】
前記背もたれは、連結手段に回転可能に取り付けられ、前記連結手段は、前記レールの前記通路に沿って移動可能である、請求項４または５に記載の椅子。
【請求項７】
前記連結手段は、前記座部および前記背もたれが前記レールに沿って移動するとともに、前記座部に対する前記背もたれの位置を水平方向に変えるように角度的に移動する、請求項６に記載の椅子。
【請求項８】
前記通路は、前記連結手段が前記レールに沿って移動するとともに、前記連結手段を角度的に移動させるように成形される、請求項７に記載の椅子。
【請求項９】
前記フレームは、前記座部が固定され得る高さの範囲を画定する一組の固定要素を含む、請求項１〜８のいずれか一項に記載の椅子。
【請求項１０】
ロック装置をさらに含み、前記ロック装置は、前記一組の固定要素と係合して、前記座部を前記レールに沿った複数の位置の任意の１つにロックする、請求項９に記載の椅子。
【請求項１１】
前記ロック装置は、テーパ付きボルトを含み、前記固定要素は、前記ボルトが嵌まり込む、テーパ付きの穴を含む、請求項１０に記載の椅子。
【請求項１２】
前記ロック装置は、前記ロック装置および前記固定要素をそれらが係合する位置で収容するロック本体を含む、請求項１０または１１に記載の椅子。
【請求項１３】
前記フレームは１対の脚部をさらに含み、各脚部は、前記脚部と前記サイドレールとの間の回転移動を通じて、前記椅子が、開いた状態と折り畳んだ状態との間を移行できるように、１つのサイドレールに回転可能に連結される、請求項３〜１０のいずれか一項に記載の椅子。
【請求項１４】
前記折り畳んだ状態に前記椅子を移行させることで、前記座部が前記背もたれに対してほぼ平らになる位置に運ばれる、請求項１０に記載の椅子。
【請求項１５】
各サイドレールが直立支持体およびベース支持体の両方に連結されるように構成された、直立支持体およびベース支持体をさらに含む、請求項３〜１０のいずれか一項に記載の椅子。
【請求項１６】
各サイドレールとそれに連結された直立支持体およびベース支持体とは、前記椅子が開いた状態にある場合に略三角形形状を形成する、請求項１５に記載の椅子。
【請求項１７】
前記直立支持体は通路を含み、前記ベース支持体は、前記通路に沿って移動可能なガイドを含み、そのため前記椅子は、前記ガイドの前記通路に沿った移動を通じて、前記開いた状態と折り畳んだ状態との間を移行することができる、請求項１５または１６に記載の椅子。
【請求項１８】
座部と、
前記座部が間に支持された１対のサイドレールと、フレームの両側で前記座部の高さの範囲を画定する一連の固定要素とを有するフレームと、
前記座部に取り付けられ、前記フレームの両側の前記固定要素の位置に対応する複数の高さの任意の１つに前記座部をロックするために、前記固定要素と係合するように構成されたロック装置と、
を含む椅子。
【請求項１９】
各固定要素は固定点を含む、請求項１８に記載の椅子。
【請求項２０】
ボルトがテーパを付けられ、前記固定要素は、前記ボルトが嵌まり込む、テーパ付きの穴を含む、請求項１９に記載の椅子。
【請求項２１】
前記ロック装置は、前記ロック装置および前記固定要素をそれらが係合する位置で収容するロック本体を含む、請求項１８〜２０のいずれか一項に記載の椅子。
【請求項２２】
前記ロック装置は、ハンドルと、前記第１のサイドレール上の固定点と前記第２のサイドレール上の対応する固定点との間に延びる一組のボルトとを含み、前記ハンドルは、前記ボルトが前記固定点の中に延びる、または前記固定点から後退するのを可能にする、請求項１９に記載の椅子。
【請求項２３】
前記ボルトは、リンクプレートを介して前記ハンドルに連結される、請求項２２に記載の椅子。
【請求項２４】
前記フレームは１対の脚部を含み、各脚部は、前記脚部と前記サイドレールとの間の回転移動を通じて、前記椅子が、開いた状態と折り畳んだ状態との間を移行できるように、サイドレールに回転可能に連結される、請求項１８〜２３のいずれか一項に記載の椅子。
【請求項２５】
前記固定要素および前記ロック装置は、前記座部の床に対する角度を固定するように構成される、請求項１８〜２４のいずれか一項に記載の椅子。
【請求項２６】
各固定要素は、前記座部を前記床に対して所定の角度で固定するために水平方向に整列した１対の固定点を含む、請求項２５に記載の椅子。
【請求項２７】
前記固定要素は、前記サイドレールに設けられる、請求項１８〜２６のいずれか一項に記載の椅子。
【請求項２８】
前記１対の固定点の一方は、前記サイドレールに配置され、他方は、前記脚部に取り付けられた支持体に配置される、請求項２７に記載の椅子。
【請求項２９】
背もたれをさらに含む、請求項１８〜２８のいずれか一項に記載の椅子。
【請求項３０】
前記座部を前記背もたれに連結し、前記サイドレールに沿って移動可能なランナをさらに含む、請求項２９に記載の椅子。
【請求項３１】
前記座部に対する前記背もたれの水平位置は、前記座部の高さが調整されるとともに変わる、請求項３０に記載の椅子。
【請求項３２】
前記第１および第２のサイドレールは湾曲している、請求項１８〜３１のいずれか一項に記載の椅子。
【請求項３３】
座部と、
前記座部を支持し、サイドレールと前記サイドレールに担持された脚部とを有するフレームと、
を含む折り畳み式の椅子であって、
前記脚部が広げられた、開いた状態と、前記脚部が格納位置に移動して、前記座部を残りの部分と実質的に平らにするように移動させる、折り畳んだ状態との間で切り換えることができる折り畳み式の椅子。
【請求項３４】
背もたれをさらに含み、折り畳んだ状態に移行すると、前記座部が前記背もたれに対して実質的に平らにするように移動する、請求項３３に記載の折り畳み式の椅子。
【請求項３５】
前記サイドレールおよび前記脚部はサイドフレームを構成し、前記フレームは、前記座部および前記背もたれが間に支持された２つのサイドフレームを含む、請求項３３または３４に記載の椅子。
【請求項３６】
前記座部の高さは調整可能である、請求項３３〜３５のいずれか一項に記載の椅子。
【請求項３７】
前記フレームは、前記フレームの両側に前記座部の高さの範囲を画定する一連の固定要素を含む、請求項３６に記載の椅子。
【請求項３８】
前記座部に取り付けられ、前記フレームの両側の前記固定要素の位置に対応する複数の高さの任意の１つに前記座部をロックするために、前記固定要素と係合するように構成されたロック装置をさらに含む、請求項３４に記載の椅子。
【請求項３９】
前記フレームは、前記座部および前記脚部に連結された座部支持部材をさらに含む、請求項３４〜３８のいずれか一項に記載の椅子。
【請求項４０】
前記脚部は、前記座部支持部材内に画定された通路に沿って移動可能である、請求項３９に記載の椅子。
【請求項４１】
各固定要素は固定点を含む、請求項３７または３８に記載の椅子。
【請求項４２】
前記固定要素は、前記支持手段に配置される、請求項３７〜４１のいずれか一項に記載
の椅子。
【請求項４３】
各固定要素は、前記座部を床に対して所定の角度で固定するために水平方向に整列した１対の固定点を含む、請求項３７〜４２のいずれか一項に記載の椅子。
【請求項４４】
前記固定点対の一方は、前記座部支持部材に配置される、請求項４３に記載の椅子。
【請求項４５】
背もたれと、
座部と、
前記座部および前記背もたれが間に支持された１対のサイドレールを有するフレームと、
を含む椅子であって、
前記背もたれは、背もたれ支持部材によって前記フレームに回転可能に取り付けられ、前記背もたれ支持部材は、前記サイドレールに沿って移動することができ、そのため前記座部に対する前記背もたれの位置を水平方向に変えるように構成される、椅子。
【請求項４６】
前記背もたれ支持部材は、前記座部の位置が変わるとともに角度的に移動して、前記座部に対する前記背もたれの位置を水平方向に変えるように角度的に移動可能である、請求項４５に記載の椅子。
【請求項４７】
前記サイドレールは通路を含み、前記背もたれ支持部材は、前記通路に沿って移動することができ、前記通路は、前記背もたれ支持部材が前記レールに沿って移動するとともに、前記背もたれ支持部材を角度的に移動させるように成形される、請求項４５または４６に記載の椅子。
【発明の詳細な説明】
【技術分野】
【０００１】
本発明は、座部の高さが調整可能な椅子に関する。
【背景技術】
【０００２】
学校で生徒および学生が使用する椅子は通常、調整機能がなく、サイズが一定の金属フレームからなる。そのような椅子は、様々な身長の、ときには、大きく異なる身体特性の生徒／学生によって使用されるので、わずかな個別使用者だけの最適な姿勢に対応することになる。そのような椅子は、ほとんどではないにしても多くの生徒／学生にとってサイズが合わない。５歳〜１１歳の間に成長が大きく進むので、この問題は、小学校においてより顕著である。小学校では、生徒は様々な成長段階にあり、体格が互いに大きく異なる。子供の身体の発達時に、正しくない姿勢でいることは、骨の構造および身体の成長に深刻な結果を及ぼすことがある。
【発明の概要】
【発明が解決しようとする課題】
【０００３】
本発明は、各使用者の姿勢を正しながら、使用者の体格に容易に合わせることができる椅子を提供することで、上記の問題を解決することを目的とする。
【課題を解決するための手段】
【０００４】
本発明の第１の態様によれば、椅子は、座部と、背もたれと、湾曲したレールを有するフレームと、レールに沿って移動可能なランナとを含み、座部および背もたれは、レールに沿って一緒に移動できるようにランナによって担持され、座部に対する背もたれの位置は、座部および背もたれがレールに沿って移動するとともに水平方向に変わる。この場合に、座部を昇降させることには、椅子を使用する人の体の大きさを考慮して背もたれの位置を自動で調整するという効果がある。
【０００５】
好ましくは、レールは、１対の凸形サイドレールで構成される。これは、座部および背もたれが、両側で支持されるのを可能にする。
【０００６】
好ましくは、背もたれは、レール内に画定された通路に沿って移動可能であり、さらに、通路の底部が椅子の前部の方に配置され、通路の上部が椅子の後部の方に配置されるように通路が成形されるのが有利であり、それにより、椅子を使用する人の体格に応じて、座部および背もたれの相対位置を自動調整する。
【０００７】
好ましくは、背もたれは、連結手段に回転可能に取り付けられ、連結手段は、レールの通路に沿って移動可能である。これは、使い勝手のよい効率的な構造を椅子に付与する。連結手段は、座部および背もたれがレールに沿って移動するとともに、座部に対する背もたれの位置を水平方向に変えるように角度的に移動することができる。これは、連結手段がレールに沿って進むとともに連結手段を角度的に移動させて、座部に対する背もたれの位置をさらに調整するように通路を成形することで達成することができる。
【０００８】
椅子は、座部が固定され得る高さの範囲を画定する一組の固定要素を含むことができ、一組の固定要素と係合して、座部をレールに沿った複数の位置の任意の１つにロックするロック装置を組み込むことができる。ロック装置は、好ましくはテーパの付いたボルトを含み、固定要素は、ボルトが嵌まり込む、テーパの付いた穴を含む。これは、座部がねじれる可能性を低くするだけでなく、椅子全体の剛性も高める、非常に堅固で確実な座部のロックを可能にする。ロック装置は、ロック装置および固定要素をそれらが係合する箇所
で収容するロック本体を含むことができる。
【０００９】
保管するために椅子を折り畳むことができるのも有利であり、そのため、フレームは、１対の脚部をさらに含み、各脚部は、脚部とサイドレールとの間の回転移動を通じて、椅子が、開いた状態と折り畳んだ状態との間を移行できるように、１つのサイドレールに回転可能に連結されるのが好ましい。有利には、椅子は、折り畳んだ状態に椅子を移行させることで、座部が、背もたれおよび／または椅子の残りの部分に対してほぼ平らになる位置に運ばれるように構成される。
【００１０】
椅子は、各サイドレールに連結されるように構成された直立支持体およびベース支持体をさらに含むことができる。各サイドレールとそれに連結された直立支持体およびベース支持体とは、椅子が開いた状態にある場合に略三角形形状を形成することができ、直立支持体は通路を含むことができ、ベース支持体は、通路に沿って移動可能なガイド部を含むことができ、そのため、椅子は、通路に沿ったガイド部の移動を通じて、開いた状態と折り畳んだ状態との間を移行することができる。
【００１１】
本発明の第２の態様によれば、椅子は、座部と、座部が間に支持された１対のサイドレールおよび両側で座部の高さの範囲を画定する一連の固定要素を有するフレームと、座部に取り付けられ、フレームの両側の固定要素の位置に対応する複数の高さの任意の１つに座部をロックするために、固定要素と係合するように構成されたロック装置とを含む。人の姿勢を最適にするように、人が着座する座部の高さを調整するのは、人にとって簡単でなければならないので、椅子の高さ調整機能は重要である。
【００１２】
各固定要素は、固定点を含むのが好ましい。ロック装置は、好ましくはテーパ付きのボルトを含み、固定要素は、ボルトが嵌まり込む、テーパ付きの穴を含む。これは、座部がねじれる可能性を低くするだけでなく、椅子全体の剛性も高める、非常に堅固で確実な座部のロックを可能にする。ロック装置は、ロック装置および固定要素をそれらが係合する箇所で収容するロック本体を含むことができる。
【００１３】
ロック装置は、ハンドルと、第１のサイドレール上の固定点と第２のサイドレール上の対応する固定点との間に延びる一組のボルトとを含むことができ、ハンドルは、ボルトが固定点の中に延びる、または固定点から後退するのを可能にする。このようにして、確実なロックが達成される。ボルトは、リンクプレートを介してハンドルに連結することができる。
【００１４】
好ましくは、フレームは１対の脚部を含み、各脚部は、脚部とサイドレールとの間の回転移動を通じて、椅子が、開いた状態と折り畳んだ状態との間を移行できるように、サイドレールに回転可能に連結される。折り畳んだ状態では、座部は、椅子の残りの部分および／または背もたれと平らになって折り畳まれる。
【００１５】
固定要素およびロック装置は、床に対する座部の角度を水平に、または床に対して所定の角度で固定するように構成することができる。有利には、固定要素は、サイドレールに設けられるが、別の実施形態では、一方はサイドレールに配置され、他方は脚部に取り付けられた支持体に配置される。
【００１６】
好ましくは、椅子は背もたれを含み、一実施形態では、座部を背もたれに連結し、サイドレールに沿って移動可能なランナが組み込まれる。
【００１７】
そのような場合に、座部に対する背もたれの水平位置は、座部の高さが調整されるとともに変わることができる。本発明の実施形態では、これは、湾曲した第１および第２のサ
イドレールを有することで達成される。
【００１８】
本発明の第３の態様によれば、折り畳み可能な椅子は、座部と、サイドレールおよびサイドレールによって担持された脚部を有する、座部を支持するためのフレームとを含み、椅子は、脚部が広げられた、開いた状態と、脚部が格納位置に移動して、座部を椅子の残りの部分と実質的に平らになるように移動させる、折り畳んだ状態との間で切り換えることができる。
【００１９】
サイドレールおよび脚部はサイドフレームを構成することができ、フレームは、座部および背もたれが間に支持された２つのサイドフレームを含むことができる。有利には、座部の高さは調整可能であり、座部は、ロックされる高さに関係なく、扁平に折り畳まれる。
【００２０】
前の実施形態と同様に、フレームは、フレームの両側に座部の高さの範囲を画定する一連の固定要素を含むことができる。
【００２１】
本発明の第４の態様によれば、椅子は、背もたれと、座部と、座部および背もたれが間に支持された１対のサイドレールを有するフレームとを含み、背もたれは、背もたれ支持部材によってフレームに回転可能に取り付けられ、背もたれ支持部材は、サイドレールに沿って移動することができて、座部に対する背もたれの位置を水平方向に変えるように構成される。これは、座部が昇降されるときに、座部に対する背もたれの調整を可能にする。本発明の第１、第２、および第３の態様で提示された背もたれの調整に加えて、この特徴を組み入れることができる。
【００２２】
背もたれ支持部材は、座部の位置が変わるとともに角度的に移動して、座部に対する背もたれの位置を水平方向に変えるように角度的に移動することができる。サイドレールは通路をさらに含み、背もたれ支持部材はこの通路に沿って移動することができ、通路は、背もたれ支持部材がレールに沿って移動するとともに、背もたれ支持部材を角度的に移動させるように成形される。
【００２３】
本発明が単なる例として、添付の図を参照して以下に説明される。
【図面の簡単な説明】
【００２４】
【図１】本発明の第１の実施形態による椅子の斜視図である。
【図２】図１の椅子の側面図である。
【図３】座部の下の座部ロック装置を示す、図１の椅子の上面図である。
【図４】ロック解除位置にあるロック装置の一部の断面図である。
【図５】図４に示すロック装置であるが、ロック位置にあるロック装置の一部の断面図である。
【図６】図１の椅子の正面図である。
【図７】折り畳んだ状態にある図１の椅子の側面図である。
【図８】本発明の第２の実施形態による椅子の斜視図である。
【図９】図８の椅子の断面図である。
【図１０】座部および背もたれが最も高い位置にある、図８の椅子の斜視図である。
【図１１】座部および背もたれが最も低い位置にある、図８の椅子の斜視図である。
【図１２】折り畳んだ状態にある、図８の椅子の斜視図である。
【図１３】図８の椅子の一部の斜視図である。
【発明を実施するための形態】
【００２５】
椅子１００の第１の例示的な実施形態が図１〜７に示されており、この実施形態は、背
もたれ１０、座部１１、ならびに座部１１および背もたれ１０を担持するフレームを含む。
【００２６】
フレームは、第１のサイドレール３０、第２のサイドレール４０、１対の直立支持体４、および１対のベース支持体５を含む。サイドレール３０、４０は凸形に湾曲し、その全長の大部分に沿ったチャネルを含む。各サイドレール３０、４０は、直立支持体４の一方とベース支持体５の一方とに連結されて、略三角形のハープ形サイドフレームを形成している。サイドレール３０、４０と、対応する直立支持体４との間、およびサイドレール３０、４０と、対応するベース支持体５との間の連結は回転可能な連結であり、直立支持体４とベース支持体５との間の連結は、図７に示すように、サイドフレームが折り畳まれることができるように解除可能である。
【００２７】
直立支持体４は、その全長の大部分に沿って、この場合、Ｉ字またはＣ字形状の断面を有する直立支持体４によって形成された通路を有し、ベース支持体５の端部は、ガイド６を介して直立支持体４に連結され、ガイド６は、直立支持体４の通路と係合し、通路に沿って移動可能である。レール４に沿ってサイドレール３０、４０に向かうガイド６の移動により、椅子が開いた状態から折り畳んだ状態に変わるのが可能になる。したがって、完全に折り畳んだ状態にある場合、椅子１００は、保管を容易にするため椅子を積み重ねることを可能にする、十分に扁平な構成（図７）を取る。当然であるが、十分に扁平な構成は、第１のサイドレール３０および第２のサイドレール４０の湾曲性により湾曲してもよい。それにもかかわらず、椅子の様々な構成要素は、椅子を重ね合わせて積み上げることができるように、完全に折り畳んだ状態でほぼ整列する。
【００２８】
この実施形態では、椅子が開いた状態にある場合に、椅子に座った人の体重と直立支持体の凹形湾曲とにより、椅子は折り畳めなくなるので、ガイド６は、所定の位置にロックされない。しかし、確実に、椅子が予期せずに折り畳まれることがないようにするために、ロック装置を組み込むことができる。
【００２９】
座部１１および背もたれ１０を支持するフレームを形成するように、両側のサイドフレームのサイドレール３０、４０は、複数の支持ロッド７によって連結され、ベース支持体５は、ベースロッド８によって連結されている。組み立てられ、開いた状態になると、フレームは堅固な構造物になる。
【００３０】
座部１１は、椅子の各側に１つの２つのランナ１７によって背もたれ１０に連結されて座部アセンブリを形成している。ランナ１７は、上記のチャネル内で第１のサイドレール３０および第２のサイドレール４０に沿って移動できるように構成されている。ランナ１７が第１および第２のサイドレールに沿って移動すると、背もたれ１０および座部１１が相応して移動する。サイドレールは、椅子が置かれている床に対して傾斜しているので、座部１１の高さは、ランナが移動するとともに変わる。サイドレールの湾曲形状のために、座部１１に対する背もたれ１０の水平位置は、座部１１の高さが調整されるとともに変わる。特に、ランナ１７をサイドレール３０、４０の上部の方に移動させることで、座部１１の高さが上昇すると、背もたれ１０は、座部１１に対して後退して配置されるようになる。ランナ１７がサイドレールの底部に向かって移動して、座部１１の高さを下げると、背もたれ１０は、座部１１に対して前進して配置されるようになる。この特徴は、様々な体格の使用者に対処して、使用者の体格に応じて座部１１と背もたれとの相対位置を合わせる。したがって、小さい子供が椅子を使用する場合、座部１１は低い位置に置かれ、背もたれ１０は、使用者の比較的短い上脚長さを考慮して、座部１１の有効奥行きを短くするように自動的に前方に配置される。その後、大きい子供が椅子を使用する場合、座部１１は高い位置に上げられ、背もたれ１０は後方に移動して、座部の有効奥行きを長くし、使用者のより長い上脚長さに対処する。
【００３１】
背もたれ１０は、回転可能な連結器２３を介してランナ１７に連結されている。座部１１は、ほぼ水平であるように配置されているが、床に対して平行である必要はない。座部１１は、ほぼ水平な状態に保持される必要があり、椅子は、高さ調節を可能にするように構成されなければならない。これを可能にする特徴部が、主に図２および図３を参照して以下に説明される。サイドレール３０は、座部１１の高さの範囲を画定する一連の固定要素を含む。各固定要素３１は、図２に示すように、１対の前部固定点３２および後部固定点３４で構成されている。この実施形態では、固定点は、椅子の横方向に向けられたほぼ水平な軸を有する穴である。固定点３２、３４の各対は、座部１１の特定の高さおよび角度を規定する。各対の２つの固定点は、ほぼ水平方向に整列している。
【００３２】
座部１１の裏面は、ロックハウジング１２およびハンドル１８を含むロック装置５０を担持している。ロック装置５０は、図３により明瞭に示されている。ロックハウジング１２は、二組の回転軸にそれぞれ固定された前部リンクプレート１９および後部リンクプレート２２からなる二組のリンクプレートを収容している。二組のボルトがリンクプレートに連結されている。前部ボルト１５は、前部リンクプレート１９に連結され、第１のサイドレール３０および第２のサイドレール４０の前部固定点３２間に延びている。後部ボルト１４は、後部リンクプレート２２に連結され、第１のサイドレール３０および第２のサイドレール４０の対応する後部固定点３４間に延びている。二組のリンクプレート１９、２２は、ハンドル１８に連結された位置決めボルト１３によって互いに連結されている。ハンドル１８がロックハウジング１２から外側に引っ張られると、位置決めボルト１３は、座部１１の前方に向かって引き寄せられ、次に、位置決めボルト１３は、二組のリンクプレート１９、２２を前方に引き寄せる。リンクプレート１９、２２の動作により、前部ボルト１５および後部ボルト１４が固定点３２、３４から後退する。この調整位置では、座部１１は（背もたれ１０とともに）サイドレールに沿って自由に移動することができる。所望の座高さが得られると、ハンドル１８は押し戻され、位置決めボルト１３、ひいてはリンクプレート１９、２２を元の位置に戻す。リンクプレート１９、２２の動作により、前部ボルト１５および後部ボルト１４が外側に押されて、前部固定点３２および後部固定点３４と係合し、座部１１を所定の位置にロックする。
【００３３】
図４および図５は、ボルト１４、１５が固定点３２、３４と係合する方法を示している。ボルト１４、１５は、それらの端部で先細りになり、平坦な端部３６を有するテーパ付き部分３５を形成している。テーパ付き部分がボルトの最大直径厚さと合流する位置にはリップがある。固定点３２、３４は、ボルトのテーパ付き部分３５の角度と同じ角度のテーパを有するテーパ付きの穴によって形成されている。
【００３４】
ボルト１４、１５と、固定点が配置されたサイドレール３０とは、座部ガイドクランプ３７内で係合する。座部ガイドクランプ３７は、ボルト１４、１５が内部を移動できる穴３８と、サイドレール３０に沿った座部ガイドクランプ３７の移動を可能にするスロット３９とを含む。座部ガイドクランプ３７は、ランナ１７の一部を形成することができる。
【００３５】
座部１１が適切な位置に移動した後、ボルト１４、１５は、穴３８内を図４に示す位置から図５に示す位置に移動し、図５に示す位置において、ボルト１４、１５のテーパ付き部分３５がテーパ付きの穴３２、３４と係合して、２つのテーパ面が密着嵌合するだけでなく、ボルトの平坦な端部３６がスロット３９の対向面を押す。これにより、構造全体が効果的にロックされるようになり、座部が上下に動くのを防止するだけでなく、座部がねじれるのも防止する。この構成により、椅子の構造において大きな剛性が得られる。
【００３６】
当業者には分かるように、ハンドル、リンクプレート、および位置決めボルトの構成の代わりに、ロック装置は、ボルトを固定点に出入りさせる様々な機構を使用することがで
きる。
【００３７】
この特定の実施形態では、固定要素は穴の形態を取り、ロック装置は、穴の中に延びる円筒形ボルトを含む。しかし、固定要素は、座部が床に対して適切な角度に維持され得る限り、任意の形態をとることができる。適切な固定要素は当業者に公知である。例えば、固定要素はスロットの形態をとることができ、ロック装置のボルトは、円筒形状の代わりに正方形形状を有することができる。さらに、本発明の各固定要素は、任意の数量の固定点で構成することができる。例えば、各固定要素は、例えば、座部が床に対して角度をなすように水平の状態で傾斜した幅広いスロットの形態のただ１つの固定点で構成することができる。あるいは、各固定要素は、３つ、４つ、またはそれを超える数の固定点で構成することができる。
【００３８】
この特定の実施形態で示すように、座部１１の前部は、後部よりも低くなって、床に対して若干の角度をなしている。これは、後部固定点３４を対応する前部固定点３２よりも若干高い位置に配置することで達成される。当業者には分かるように、床に対する座部１１の望ましい角度の大きさに応じて、前部および後部の固定点の配置を変えることができる。あるいは、座部１１の後部が前部よりも低いように座部１１を配置することも可能である。これは、後部固定点３４を対応する前部固定点３２よりも若干低い位置に配置することで達成することができる。
【００３９】
折り畳んだ状態にある場合、座部１１は、ハンドル１８を引っ張り、座部が背もたれ１０と実質的に平らになるような位置に座部を向けることで、固定要素３１から外すことができる。
【００４０】
椅子２００の第２の例示的な実施形態が図８〜１２に示され、この実施形態は、背もたれ２１０と、座部２１１と、座部２１１および背もたれ２１０を担持するフレームとを含む。第２の実施形態の特徴の多くが第１の実施形態と同じであり、当然ながら、これらの特徴は、第２の実施形態よりも第１の実施形態に関連してより詳細に説明されるが、第２の実施形態にも同様に適用できる。
【００４１】
フレームは、第１のサイドレール２３０と、第２のサイドレール２４０と、第１のサイドレール２３０および第２のサイドレール２４０にそれぞれ回転可能に連結された１対の脚部２５０、２６０とを含む。脚部とサイドレールとの間の回転連結器２３２、２４２は、図１２に示すように、椅子２００が折り畳まれるのを可能にし、サイドレールの上部から途中の１／３あたりにあってサイドレール（２３０、２４０）の端部から離間している。サイドレール２３０、２４０は凸形に湾曲し、その全長の大部分に沿ったチャネルを含む。
【００４２】
各脚部２５０、２６０は、リンクプレート２５２、２６２が取り付けられている。後部支持プレート２７０、２８０は、座部２１１の両側に設けられている。各後部支持プレート２７０、２８０は、その全長の大部分に沿ってそれぞれ通路２７２、２８２を有する。リンクプレート２５２、２６２は、それぞれ通路２７２、２８２に沿ってスライド可能である。
【００４３】
椅子の脚部（２５０、２６０）が完全に開いた状態にあるときに、リンクプレート２５２、２６２は、通路２７２、２８２内で最上部の位置にある。脚部２５０、２６０が、サイドレール２３０、２４０に対接する、閉じた位置に向かって移動すると、リンクプレート２５２、２６２は、通路２７２、２８２に沿って下方にスライドして、椅子が十分扁平な構成（図１２）をとるように座部２１１を傾斜させる。
【００４４】
椅子が開かれると、通路２７２、２８２の長さにより、脚部２５０、２６０とサイドレール２３０、２４０との間の最大角が規定される。リンクプレート２７０、２８０が通路２７２、２８２の最上端に達することで、脚部２５０、２６０は、サイドレール２３０、２４０から離れる方向にこれ以上移動することができない。他方で、椅子２００が開いた状態にある場合、椅子に座った人の体重と、脚部とサイドレールとの間の間隔があいていることとにより、脚部２５０、２６０は、サイドレール２３０、２４０に向かって内側に倒れる（すなわち、椅子を折り畳む）ことができない。他の実施形態では、確実に、椅子が予期せずに折り畳まれることがないようにするために、ロック装置を組み込むことができる。
【００４５】
座部２１１および背もたれ２１０を支持するフレームを形成するように、両側のサイドフレームのサイドレール２３０、２４０は、２つの支持ロッド２０７によって連結され、脚部２５０、２６０は、ベースロッド２０８によって連結されている。組み立てられ、開いた状態になると、フレームは堅固な構造物になる。
【００４６】
座部２１１は、椅子の各側に１つの２つのランナ２１７によって背もたれ２１０に連結されて座部アセンブリを形成している。ランナ２１７は、上記のチャネル内で第１のサイドレール２３０および第２のサイドレール２４０に沿って移動できるように構成されている。ランナ２１７が第１および第２のサイドレールに沿って移動すると、背もたれ２１０および座部２１１も相応して移動する。前の実施形態で説明したのと同様に、サイドレール２３０、２４０の湾曲形状のために、座部２１１の高さが変わると、座部２１１に対する背もたれ２１０の水平位置が変わる。この実施形態では、座部２１１に対する背もたれ２１０の水平位置をさらに移動させる。背もたれ２１０は、背もたれ２１０の各側に１つの１対のカムアーム２２０を介してランナ２１７に連結されている。カムアーム２２０は、ランナ２１７（２２１の位置）および背もたれ２１０（２２２の位置）の両方に回転可能に取り付けられている。カムアーム２２０は、ランナ２１７に連結される位置に連結点２２１を含む。カムアームはまた、カム従動子２２３を含んでおり、カム従動子がねじられると、カムアーム２２０は、背もたれ２１０を再配置するように角度的に移動する。各サイドレール２３０、２４０は、カムガイドスロット２２４を有する。カム従動子２２３は、カムガイドスロット２２４に沿って移動することができる。カムガイドスロット２２４の底端部は、図１１に示すように、カムアームが後方下側を向くように成形されている。カムガイドスロットの上部は、図１０に示すように、カムアーム２２０が略後方上側を向くように形成されている。カムガイドスロット２２４に沿ったカム従動子２２３の移動により、カムアーム２２０は回転軸２２１のまわりに回転する。カムアーム２２０とランナ２１７との間の回転移動により、カムアーム２２０の向きが変わる。次に、これは、座部２１１に対して背もたれ２１０を後退または前進させ、その高さを変える。背もたれ２１０は、回転軸２２２のまわりを自由に回転できるが、その回転軸が質量中心の上にあるので、通常、実質的に垂直な位置を取る。
【００４７】
座部２１１は、ほぼ水平であるように構成されているが、床に対して平行である必要はない。高さ調節を可能にしながら、座部２１１がほぼ水平な状態に保持されるのを可能にする特徴部は、第１の実施形態で説明したものと同様である。しかし、サイドレール上に前部および後部固定点の両方を有する代わりに、図９に示すように、前部固定点２３２だけがサイドレール２３０、２４０に配置され、後部固定点２３４が、後部支持プレート２７０に配置されている。それにもかかわらず、前の実施形態と同様に、前部固定点２３２および後部固定点２３４は、座部２１１の高さの範囲を共同して画定し、固定点２３２、２３４の各対は、座部２１１の特定の高さを画定する。各対の２つの固定点は、座部が水平に配置されるように水平に整列する、すなわち、同様な高さにあるか、あるいは若干前または後ろに傾斜するかのいずれかである。前の実施形態と同様に、床に対して若干角度をなすように、座部２１１の前部は後部よりも低くなっている。
【００４８】
椅子２００の裏面のロック装置２５０は、前の実施形態のロック装置５０と実質的に同じであり、ここで再度説明しない。
【００４９】
この特定の実施形態では、後部支持プレート２７０、２８０の通路２７２、２８２に沿ってスライド可能なリンクプレート２５２、２６２があるために、椅子２００を折り畳むのに、座部２１１を固定点２３２、２３４から切り離す必要がない。
【００５０】
椅子１００、２００は、木材、プラスチック、およびアルミニウムなどの任意の適切な材料で作製することができる。さらに、椅子の様々な構成要素は同じ材料で作製することができて、製造を容易にすることができる。あるいは、様々な構成要素は異なる材料で作製することができる。例えば、フレーム構成要素（例えば、サイドレール、直立支持体、ベース支持体、脚部、および後部支持プレート）は、鋼などの１つの材料で作製することができ、座部および背もたれは、プラスチック材料で作製したり、または快適にするために布張りにしたりすることができる。好ましい実施形態では、椅子は、大量生産を可能にするために、重量が軽く、安価で、製造が容易なように完全にプラスチックで作製される。
【図１】
2014528311.tif 000003
【図２】
2014528311.tif 000004
【図３】
2014528311.tif 000005
【図４】
2014528311.tif 000006
【図５】
2014528311.tif 000007
【図６】
2014528311.tif 000008
【図７】
2014528311.tif 000009
【図８】
2014528311.tif 000010
【図９】
2014528311.tif 000011
【図１０】
2014528311.tif 000012
【図１１】
2014528311.tif 000013
【図１２】
2014528311.tif 000014
【図１３】
2014528311.tif 000015
【国際調査報告】
2014528311.tif 000016
2014528311.tif 000017
2014528311.tif 000018
2014528311.tif 000019
2014528311.tif 000020